(57)【要約】      （修正有）【課題】従来よりも練習は合理化され、練習時間を大幅に短縮することができ、かつスケールと弦楽器を一体化することで未経験者をはじめ、初心者、中級者なども容易に即興演奏が可能になるスケール図一体型弦楽器を提供する。【解決手段】０フレットを設けることで、開放弦の表示を可能にし、本体に設けられたスケールをはじめとする設定を行う装置を操作して、ネック内部のＬＥＤを点灯させ、設定したスケールを指板に表示させる。指板の素材には木材ではなく、乳白色などのアクリルを使用することで、設定により指定されたフレットポジション全体の点灯表示が可能となることから、指板に表示されるスケールを一目で判断することができる。またＬＥＤの消灯時はネック内部の構造が見えないことから、通常の演奏の場合も、演奏の妨げにならない形態を備えている。【選択図】図４
0003174407.tif 000002
【実用新案登録請求の範囲】
【請求項１】
弦楽器のネック内部に設けたＬＥＤを点灯させ、指板にスケールを表示する際、どのポジションを押さえれば良いのかが一目で判断できるように、従来のような木材ではなく、乳白色などのアクリルをはじめとするフレットポジション全体を点灯させることが可能で、かつ消灯時はネック内部の構造が見えない形態を備えていることを特徴とするスケール図一体型弦楽器。
【請求項２】
前記の乳白色などのアクリルを使用したネック及び指板に、０フレットを設け、スケールを表示した場合に、スケールがどの開放弦に適合しているかが目だけで判断できる形態を備えていることを特徴とする請求項１記載のスケール図一体型弦楽器。
【請求項３】
外部機器を使用することなく、弦楽器本体に設けた装置だけでスケールの変更などをはじめとする設定を操作できることを特徴とする請求項１、または請求項２記載のスケール図一体型弦楽器。
【考案の詳細な説明】
【技術分野】
【０００１】  本考案は、ギターなどをはじめとする弦楽器のネック及び指板にスケールを表示するスケール図一体型弦楽器に関し、特にスケールの習得やスケールの表示を利用することで即興演奏が可能な弦楽器に係わる。
【背景技術】
【０００２】  従来、スケールの練習を一人で行う場合、教則本などに記載されたスケール図を見ながら行うのが一般的な練習方法であり、特に本などを見ながら練習を行う場合、開いていたページが閉じてしまう度に感じるストレスや、インターネットなどを利用した練習の場合もまた、スケール図と指板を交互に見なければならず、従来のスケールの練習方法は効率が悪く非合理的である。【０００３】  例えば、ＬＥＤを点灯させて指圧すべき位置を指示する電子弦楽器が提案されている。（特許文献１）【０００４】  また、ギター型の電子弦楽器において和音指定を容易にするとともに和音の運指表示を解りやすくする和音演奏支援装置及び電子弦楽器が提案されている（特許文献２）
【先行技術文献】
【特許文献】
【０００５】
【特許文献１】  特開２００８−１４５８２０号公報
【特許文献２】  特開２００４−１１７７８９号公報
【考案の概要】
【考案が解決しようとする課題】
【０００６】  しかしながら、特許文献１に記載されているギターのネックは、一般のギターと比較するとネックが短く、また一般的なギターのフレット数が２１フレット〜２４フレットまであるのに対し、特許文献１記載のフレット数は５フレットしか無いため、通常の演奏は不可能である。【０００７】  また、特許文献２によれば、ギターの和音を合理的に、且つ効率良く覚えることができるが、覚えた後は本物のギターに移行する必要があり、利用者には不便である。【０００８】  また、特許文献２に記載されているギターに使用される弦は疑似弦であり、さらに指板上に疑似弦は張られていないため通常の演奏をはじめ、チョーキング等の演奏技法は不可能であることから、本考案の目的とはかけ離れている。【０００９】  本考案は、ネックの内部に設けたＬＥＤを利用し、従来とは別の目的である、指板にスケールを表示させることで従来の練習時に伴う、スケール図と指板を交互に見なければならない手間や、開いていたページが閉じてしまうストレスを排除することで、スケールの練習が従来よりも合理化され、かつスケールの知識がない未経験者をはじめ、初心者、中級者も指板に表示されるスケールを利用することで容易に即興演奏が可能になるスケール図一体型弦楽器を提供することを目的とする。【００１０】  本考案によれば、スケール図と弦楽器を一体化することにより、スケール図が記載されている教則本などを必要とせずに、よりスケールの位置を判断でき、かつ指板に表示されるスケールを利用すれば誰でも容易に即興演奏を楽しめるようになることで、商品の付加価値を高め、購買意欲を喚起し、かつ音楽人口の増進に適した弦楽器の拡販に資することである。
【課題を解決するための手段】
【００１１】  本考案のスケール図一体型弦楽器は、ギターをはじめとする弦楽器のネック内部にＬＥＤを設けたものである。【００１２】  指板にスケールを表示する際、どのポジションを押さえれば良いのかが人目で判断できるようにフレットポジション全体が点灯し、かつ消灯時はネック内部の構造が見えない素材、例えば乳白色のアクリルなどを使用する。【００１３】  開放弦を目で判断できるように、０フレットを設ける。【００１４】  スケールなどの変更を設定する装置を弦楽器本体に設ける。
【考案の効果】
【００１５】  本考案のスケール図一体型弦楽器によれば、ネック内部に設けたＬＥＤを利用し、演奏とは別の目的である、スケールを指板に表示することにより、教則本などに記載されたスケール図を活用せずに済み、効率が上がることで、従来よりも練習時間が大幅に短縮され、かつスケールと弦楽器を一体化することで未経験者をはじめ、初心者、中級者が容易に即興演奏が可能になることにより、商品の付加価値を高め、購買意欲を喚起することにあり、音楽人口の増進に適した拡販に資することができる。
【考案を実施するための形態】
【００１６】  以下、本考案のスケール図一体型弦楽器をその実施の最良の形態について図面に示す実施例に基づいて具体的に説明する。
【００１７】  図１は、本考案の実施例を示すものであり、弦楽器のボディー部（１）に設けたスケールなどの設定や変更などを行う装置（２）を操作し、フレットポジション全体が点灯可能な乳白色のアクリルなどを使用したネック内部に設置したＬＥＤを点灯させ、設定したスケールを指板（３）に表示させる。
【００１８】  開放弦については、設定したスケールが目で判断することができないため、図２のように弦楽器を見た場合の１フレットの左側に０フレット（４）を設ける。
【００１９】  このような装置（２）、ネック及び指板（３）、０フレット（４）を施した弦楽器が（図１参照）店舗等において販売される。
【００２０】  通常の演奏をはじめ、スケール練習を行う場合は装置（２）を操作し、指板（３）にスケールを表示すればスケールの習得や即興演奏を楽しむことができる。
【００２１】  以下にその手順を説明するが、本考案を実施するにあたり、この説明、手順に限定されるものではない。
【００２２】  本実施例では、スケール図一体型弦楽器のボディー部（１）に設けてある装置（２）を操作し、図３のチューニング（４）、キー（５）、スケール（６）を設定する。
【００２３】  設定されたスケールをネック内部に設けたＬＥＤが点灯することにより指板上にスケールが表示される。（図４）
【００２４】  図５は、Ｃメジャーペンタトニックスケールを表示したものであり、これを利用し、スケールの練習や即興演奏が可能だが、使用する弦楽器のチューニングが例えば半音下げの場合、指板に表示されたスケールは正しい表示ではなくなるため、図３チューニング（６）の中から半音下げを選択し、スケールの位置表示を設定し直す。（図６）
【００２５】  また、スケールのキーを変えて演奏したい場合、例えばＣメジャーペンタトニックスケールからＢマイナーペンタトニックスケールに変更するには、図３のキー（７）の中からＢを選択し、スケール（５）の中からマイナーペンタトニックを選択し、スケールの位置表示を設定し直す。（図７）
【図面の簡単な説明】
【００２６】
【図１】  本考案のスケール図一体型弦楽器に使用する、スケールなどの設定や変更を操作する装置（２）と乳白色のアクリルを施したネックおよび指板（３）を設けた正面図である。
【図２】  本願考案のスケール図一体型弦楽器のネック及び指板（３）を図のように見た場合の１フレットの左側に、０フレットを設けた拡大図である。
【図３】  本願考案のスケール図一体型弦楽器のチューニング、キー、スケールを設定する際の画面図である。
【図４】  本願考案のスケール図一体型弦楽器のネック内部に設けたＬＥＤが点灯することで、指板にＣメジャーペンタトニックスケールが表示された指板の全体図である。
【図５】  本願考案のスケール図一体型弦楽器の指板にＣメジャーペンタトニックスケールが表示された指板の拡大図である。
【図６】  本願考案のスケール図一体型弦楽器のチューニング設定を半音下げに変更し、Ｃメジャーペンタトニックスケールを表示した拡大図である。
【図７】  本願考案のスケール図一体型弦楽器のキー設定をＢに変更し、スケールをマイナーペンタトニックに設定変更し、Ｂマイナーペンタトニックスケールを表示した拡大図である。
【符号の説明】
【００２７】１・・・・・・ボディー部
２・・・・・・スケール設定装置
３・・・・・・ネック及び指板
４・・・・・・０フレット
５・・・・・・チューニング設定画面
６・・・・・・キー設定画面
７・・・・・・スケール設定画面
【図１】
0003174407.tif 000003
【図２】
0003174407.tif 000004
【図３】
0003174407.tif 000005
【図４】
0003174407.tif 000006
【図５】
0003174407.tif 000007
【図６】
0003174407.tif 000008
【図７】
0003174407.tif 000009